【手続補正書】
【提出日】平成16年5月24日(2004.5.24)
【手続補正１】
【補正対象書類名】明細書
【補正対象項目名】特許請求の範囲
【補正方法】変更
【補正の内容】
【特許請求の範囲】
【請求項１】
複数の送信源のうち捕捉すべき送信源側に対応するスペクトラム逆拡散符号を用いて、偽信号相互相関を検出する偽信号相互相関検出方法において、
捕捉すべき送信源以外に捕捉している受信信号のドップラー周波数を用い、偽信号相互相関の有無を判定することを特徴とする偽信号相互相関検出方法。
【請求項２】
請求項１に記載の偽信号相互相関検出方法において、
偽信号相互相関の有無の判断を、捕捉すべき送信源のドップラー周波数と、捕捉すべき送信源以外に捕捉している受信信号のドップラー周波数の差により、判定することを特徴とする偽信号相互相関検出方法。
【請求項３】
互いに相対移動しつつ送信を行う複数の送信源から受信機へとスペクトラム拡散された信号を送信する無線システムにて、キャリア周波数同期制御及びコード位相同期制御を通じて送信源を無線捕捉する受信機により、実行され、
キャリア周波数同期制御を通じて得られる情報に基づきかつ捕捉した送信源毎に受信信号のドップラー周波数を測定し、捕捉した送信源の中から、ドップラー周波数の測定値の差が所定範囲内となる組合せを検出する受信周波数差判別ステップと、
上記組合せに属する送信源の中に、コード位相同期制御にて得られた相関ピーク値が偽信号相互相関によっても得られる低水準の相関を示しているもの及び偽信号相互相関によっては得られない高水準の相関を示しているものが、共に含まれているか否かを調べる相関比較ステップとを有し、
相関比較ステップにて含まれていることが判明した場合に、上記低水準の相関を示す相関ピーク値が、実は、上記高水準の相関に係る送信源からの受信信号と、その送信源とは異なる送信源に対応したスペクトラム逆拡散符号との相互相関である偽信号相互相関の結果である、と見なすことを特徴とする偽信号相互相関検出方法。
【請求項４】
同一のキャリア周波数で送信を行う複数の送信源から受信機へとスペクトラム拡散された信号を送信する無線システムにて、キャリア周波数同期制御及びコード位相同期制御を通じて送信源を無線捕捉する受信機により、実行され、
キャリア周波数同期制御を通じて得られる情報に基づきかつ捕捉した送信源毎に受信信号のキャリア周波数を測定し、捕捉した送信源の中から、キャリア周波数の測定値の差が所定範囲内となる組合せを検出する受信周波数差判別ステップと、
上記組合せに属する送信源の中に、コード位相同期制御にて得られた相関ピーク値が偽信号相互相関によっても得られる低水準の相関を示しているもの及び偽信号相互相関によっては得られない高水準の相関を示しているものが、共に含まれているか否かを調べる相関比較ステップとを有し、
相関比較ステップにて含まれていることが判明した場合に、上記低水準の相関を示す相関ピーク値が、実は、上記高水準の相関に係る送信源からの受信信号と、その送信源とは異なる送信源に対応したスペクトラム逆拡散符号との相互相関である偽信号相互相関の結果である、と見なすことを特徴とする偽信号相互相関検出方法。
【請求項５】
請求項３又は４記載の偽信号相互相関検出方法において、
相関比較ステップが、上記組合せに属する送信源の中に、コード位相同期制御にて得られた相関ピーク値が上記低水準の相関を表す弱信号最大スレッショルドより小さいもの及び上記低水準の相関を表す強信号最小スレッショルドより大きいものが、共に含まれているか否かを調べるステップであることを特徴とする偽信号相互相関検出方法。
【請求項６】
請求項３又は４記載の偽信号相互相関検出方法において、
相関比較ステップが、上記組合せに属する送信源の間に、コード位相同期制御にて得られた相関ピーク値に関し有意差が存在しているか否かを調べるステップであり、相関ピーク値に関し有意差がある送信源のうち最小の相関ピーク値を、実は上記偽信号相互相関の結果である、と見なすことを特徴とする偽信号相互相関検出方法。
【請求項７】
請求項３乃至６のいずれか１項に記載の偽信号相互相関検出方法を実行するステップと、
偽信号相互相関をもたらしたスペクトラム逆拡散符号に対応する送信源を、以後の捕捉対象から除外する選択除外ステップとを、
有することを特徴とする送信源選択制限方法。
【請求項８】
互いに相対移動しつつ同一のキャリア周波数で送信を行う複数の測位衛星から受信機へとスペクトラム拡散された測位信号を送信する測位システムにて、キャリア周波数同期制御及びコード位相同期制御を通じて測位衛星を無線捕捉する受信機により、実行され、
キャリア周波数同期制御を通じて得られる情報に基づきかつ捕捉した測位衛星毎に受信信号のキャリアにおけるドップラー周波数を測定し、捕捉した測位衛星の中から、ドップラー周波数の測定値の差が所定範囲内となる組合せを検出する受信周波数差判別ステップと、
上記組合せに属する測位衛星の中に、コード位相同期制御にて得られた相関ピーク値が偽信号相互相関によっても得られる低水準の相関を示しているもの及び偽信号相互相関によっては得られない高水準の相関を示しているものが、共に含まれているか否かを調べる相関比較ステップと、
相関比較ステップにて含まれていることが判明した場合に、上記低水準の相関を示す相関ピーク値が、実は、上記高水準の相関に係る測位衛星からの受信信号と、その測位衛星とは異なる測位衛星に対応したスペクトラム逆拡散符号との相互相関である偽信号相互相関の結果である、と見なし、偽信号相互相関をもたらしたスペクトラム逆拡散符号に対応する測位衛星を、以後の捕捉対象から除外する選択除外ステップとを、
有することを特徴とする衛星選択制限方法。
【請求項９】
請求項３乃至６のいずれか１項に記載の偽信号相互相関検出方法を実行する受信機において、
送信源にて使用され得るスペクトラム拡散符号に対応した複数通りのスペクトラム逆拡散符号のうち捕捉すべき送信源に対応するものを選び、選んだスペクトラム逆拡散符号を用いて受信信号をスペクトラム逆拡散し、偽信号相互相関と判断された場合に、以後、捕捉対象から除外する手段を備えることを特徴とする受信機。
【手続補正２】
【補正対象書類名】明細書
【補正対象項目名】００１０
【補正方法】変更
【補正の内容】
【００１０】
【課題を解決するための手段】
このような目的を達成するために、本発明に係る偽信号相互相関検出方法は、複数の送信源のうち捕捉すべき送信源側に対応するスペクトラム逆拡散符号を用いて、偽信号相互相関を検出する偽信号相互相関検出方法において、捕捉すべき送信源以外に捕捉している受信信号のドップラー周波数を用い偽信号相互相関の有無を判定することを特徴とする。さらに、本発明に係る偽信号相互相関検出方法において、偽信号相互相関の有無の判断を、捕捉すべき送信源のドップラー周波数と、捕捉すべき送信源以外に捕捉している受信信号のドップラー周波数の差により、判定をすることを特徴とする。さらにまた、本発明に係る偽信号相互相関検出方法は、（１）互いに相対移動しつつ送信を行う複数の送信源から受信機へとスペクトラム拡散された信号を送信する無線システムにて、キャリア周波数同期制御及びコード位相同期制御を通じて送信源を無線捕捉する受信機により、実行され、（２）キャリア周波数同期制御を通じて得られる情報に基づきかつ捕捉した送信源毎に受信信号のドップラー周波数を測定し、捕捉した送信源の中から、ドップラー周波数の測定値の差が所定範囲内となる組合せを検出する受信周波数差判別ステップと、（３）上記組合せに属する送信源の中に、コード位相同期制御にて得られた相関ピーク値が偽信号相互相関によっても得られる低水準の相関を示しているもの及び偽信号相互相関によっては得られない高水準の相関を示しているものが、共に含まれているか否かを調べる相関比較ステップとを有し、（４）相関比較ステップにて含まれていることが判明した場合に、上記低水準の相関を示す相関ピーク値が、実は、上記高水準の相関に係る送信源からの受信信号と、その送信源とは異なる送信源に対応したスペクトラム逆拡散符号との相互相関である偽信号相互相関の結果である、と見なすことを特徴とする。
【手続補正３】
【補正対象書類名】明細書
【補正対象項目名】００１４
【補正方法】変更
【補正の内容】
【００１４】
本発明に係る衛星選択制限方法は、（１）互いに相対移動しつつ同一のキャリア周波数で送信を行う複数の測位衛星から受信機へとスペクトラム拡散された測位信号を送信する測位システムにて、キャリア周波数同期制御及びコード位相同期制御を通じて測位衛星を無線捕捉する受信機により、実行され、（２）キャリア周波数同期制御を通じて得られる情報に基づきかつ捕捉した測位衛星毎に受信信号のキャリアにおけるドップラー周波数を測定し、捕捉した測位衛星の中から、ドップラー周波数の測定値の差が所定範囲内となる組合せを検出する受信周波数差判別ステップと、（３）上記組合せに属する測位衛星の中に、コード位相同期制御にて得られた相関ピーク値が偽信号相互相関によっても得られる低水準の相関を示しているもの及び偽信号相互相関によっては得られない高水準の相関を示しているものが、共に含まれているか否かを調べる相関比較ステップと、（４）相関比較ステップにて含まれていることが判明した場合に、上記低水準の相関を示す相関ピーク値が、実は、上記高水準の相関に係る測位衛星からの受信信号と、その測位衛星とは異なる測位衛星に対応したスペクトラム逆拡散符号との相互相関である偽信号相互相関の結果である、と見なし、偽信号相互相関をもたらしたスペクトラム逆拡散符号に対応する測位衛星を、以後の捕捉対象から除外する選択除外ステップとを、有することを特徴とする。さらに、本発明に係る受信機は、偽信号相互相関と判断された場合に、以後、捕捉対象から除外する手段を備えることを特徴とする。